(57)【要約】【課題】簡単に製造でき、機能性は不変のまま幅を狭くした突出端子式プラグコネクタを提供する。【解決手段】一方の端部に導電体を線剥き無しで接続するための突出端子２ｆが、他方の端部に対向するプラグコネクタと対応する差込式接触領域が形成された複数の組合せ型接続部材２ｇを有しており、突出端子２ｆにスロットを設けた平坦な突出端子が担持されている、電気コネクタ用の突出端子式プラグコネクタにおいて、互いに隣接してはめ込まれた各接続部材２ｇの１つの列に対して、接続部材２ｇの各突出端子２ｆが突出端子式プラグコネクタ２内で多列に配置されるように各接続部材２ｇが構成される。【選択図】図５
2006140157.tif 000002
【特許請求の範囲】
【請求項１】
電気コネクタ用の突出端子式プラグコネクタであって、
一方の端部に導電体を線剥き無しで接続するための突出端子領域が、他方の端部に対向するプラグコネクタと対応する差込式接触領域が形成された複数の組合せ型接続部材を有しており、
前記突出端子領域にスロットを設けた平坦な突出端子が担持されており、
互いに隣接してはめ込まれた前記各接続部材（２ｇ）の各差込式接点（２ｈ）の１つの列に対して、これらの接続部材（２ｇ）の前記各突出端子（２ｆ）が前記突出端子式プラグコネクタ（２）内で多列に配置されるように、前記各接続部材（２ｇ）が構成されており、
前記各接続部材（２ｇ）の前記各差込式接点（２ｈ）が前記突出端子式プラグコネクタ（２）内で互いに隣接して一列に配置され、また前記各接続部材（２ｇ）の前記各突出端子（２ｆ）が二列に配置される、突出端子式プラグコネクタにおいて、
前記各接続部材（２ｇ）の前記各突出端子（２ｆ）が、前記突出端子式プラグコネクタ（２）内で交互に二列に配置されると共に、
前記各接続部材（２ｇ）が、１つの接続部材列内において、それぞれの差込式接点（２ｈ）に関して、屈曲部を交互に逆向きにしてはめ込まれていることを特徴とする突出端子式プラグコネクタ。
【請求項２】
同一形状に曲げ加工された複数の接続部材（２ｇ）が、それぞれの縦軸回りに交互に１８０°回転されて前記突出端子式プラグコネクタ（２）内にはめ込まれることを特徴とする、請求項１に記載の突出端子式プラグコネクタ。
【請求項３】
前記接続部材列の２番目の各接続部材（２ｇ）のみが、それぞれの差込式接点（２ｈ）に関して、同様に曲げられ、その他の接続部材（２ｇ）が曲げられていないことを特徴とする、請求項１または２に記載の突出端子式プラグコネクタ。
【請求項４】
各屈曲部（２ｋ）が前記各接続部材（２ｇ）の領域の略中央に位置することを特徴とする、請求項１から３の少なくともいずれか一項に記載の突出端子式プラグコネクタ。
【請求項５】
前記各突出端子（２ｆ）用の多列に配置された各挿入穴（２ｉ）が、それぞれが並んでいる向きに交差するまたは重なり合うことを特徴とする、請求項１から４のいずれか一項に記載の突出端子式プラグコネクタ。
【請求項６】
前記突出端子式プラグコネクタ（２）が１つのはめ合わせ式ハウジング（２ｃ、２ｄ）を有し、ハウジング上側部材（２ｄ）の内部に前記各接続部材（２ｇ）が取り付けられ、ハウジング下側部材（２ｃ）内に前記各突出端子（２ｆ）が差し込まれることを特徴とする、請求項１から５のいずれか一項に記載の突出端子式プラグコネクタ。
【請求項７】
前記両ハウジング部材（２ｃ、２ｄ）が、ロック用輪郭部（２ｌ、２ｍ）により互いにロックされることを特徴とする、請求項６に記載の突出端子式プラグコネクタ。
【請求項８】
前記各接続部材（２ｇ）の前記各差込式接点（２ｈ）が、二腕式接点ばねとして構成されることを特徴とする、請求項１から７のいずれか一項に記載の突出端子式プラグコネクタ。
【請求項９】
前記各接続部材（２ｇ）の前記各差込式接点（２ｈ）が、コンタクトブレードまたはコンタクトピンとして構成されることを特徴とする、請求項１から８のいずれか一項に記載の突出端子式プラグコネクタ。
【請求項１０】
極数が任意であることを特徴とする、請求項１から９のいずれか一項に記載の突出端子式プラグコネクタ。
【請求項１１】
前記プラグ接続が二列型または多列型であることを特徴とする、請求項１から１０のいずれか一項に記載の突出端子式プラグコネクタ。
【請求項１２】
前記対向するプラグコネクタ（１）が、絶縁材料製のトラフ型ハウジング（１ａ）を有することを特徴とする、請求項１から１１のいずれか一項に記載の突出端子式プラグコネクタ。
【請求項１３】
前記対向するプラグコネクタ（１）の前記トラフ型ハウジング（１ａ）に、差込状態にの時に前記突出端子式プラグコネクタ（２）の前記ハウジング下側部材（２ｃ）の少なくとも１つのロック（２ｂ）が係合するようになっている少なくとも１つのロック用スリット（１ｄ）が備えられていることを特徴とする、請求項１２に記載の突出端子式プラグコネクタ。
【請求項１４】
前記対向するプラグコネクタ（１）の前記トラフ型ハウジング（１ａ）が、２つの取付け用クリップ（３）を担持しており、前記各取付け用クリップ（３）が、そのロック用スリット（３ａ）により、前記トラフ型ハウジング（１ａ）の幅の狭い両側面の後側のロック用輪郭部（１ｅ）を把持することを特徴とする、請求項１３に記載の突出端子式プラグコネクタ。
【請求項１５】
前記突出端子式プラグコネクタ（２）はロック（２ｂ）を有し、該ロック（２ｂ）は、前記突出端子式プラグコネクタ（２）と対向するプラグコネクタ（１）をロックする為のものであり、ハウジング下側部材（２ｃ）のボディの幅広な両側面に配設され、かつ該ロック（２ｂ）は突出端子式プラグコネクタ（２）の幅広側の表面を超えて突出していないことを特徴とする、請求項６に記載の突出端子式プラグコネクタ。
【請求項１６】
突出端子式プラグコネクタ（２）のハウジング下側部材（２ｃ）ロック（２ｂ）の位置に対応してハウジング上側部材（２ｄ）に凹部が備えられ、該凹部とロック（２ｂ）との互いに対向する面間に自由空間が形成され、それによってロック（２ｂ）は横方向に移動することができることを特徴とする、請求項１５に記載の突出端子式プラグコネクタ。
【発明の詳細な説明】
【技術分野】
【０００１】
本発明は、一方の端部に導電体を線剥き無しで接続するための突出端子領域が、他方の端部に対向するプラグコネクタと対応する差込式接触領域が形成された複数の組合せ型接続部材を有しており、前記突出端子領域にスロットを設けた平坦な突出端子が担持されている、電気プラグ接続用の突出端子式プラグコネクタに関する。
【背景技術】
【０００２】
導電体を線剥き無しで接触させるために、圧接端子式接続部を使用するケースが多々あるが、従来この接続部は、打抜き・曲げ加工された１つの薄板部品の、接続対象である導電体と接触させるための、突出端子用の１つのコンタクトスロットを備えた１つの領域と、この打抜き・曲げ加工された薄板部品の、対応するレセプタクル差込式接点部材用の、１つの差込式接点構成部品を備えた１つの領域とにより構成されている。そこでは複数の接続部材が、１つの絶縁ハウジング内に一列または多列に収納されており、それにより角型多極プラグコネクタを形成している。
【０００３】
このような角型多極電気プラグコネクタの一例が、例えば特許文献１に記載されている。この特許文献１によると、各接続部材はいずれも、１つのＵ字形に曲げ加工されたストリップ状の薄板打抜き部品により構成され、この薄板ストリップは、それぞれ１つの鍵穴型突出端子装置を有する二腕式接点ばねの両ばねアーム用の１つのばねアームベース板が形成されるように、薄板ストリップの長手方向に対して横向きに互いに間隔をおいて平行に位置する２つの曲げ加工ゾーンのところで、いずれも同じ方向に直角に曲げ加工されている。このためこれらの接続部材は複雑な構成形状を有しており、かなり大きな必要空間を要求している。１つのベースから曲げ加工された、実質的に互いに平行に延びる２つの平坦な突出端子接触側辺部を有するシリーズターミナルは、例えば特許文献２に提示されている。
【特許文献１】ドイツ特許出願公開公報第１９９５３５９３Ａ１号
【特許文献２】ドイツ特許第１９７３２１８２Ｃ１号
【発明の開示】
【発明が解決しようとする課題】
【０００４】
本発明が解決しようとする課題は、比較的簡単に製造可能な複数の接続部材から成る、同等の機能性を維持しながら可能な限り幅を狭くして構成される、電気プラグ接続用の一列または多列型の突出端子式プラグコネクタを提示することにある。それ以外にも、そのような突出端子式プラグコネクタを、最新の製造技術により微小化仕様においても製造できるようにすることも、本発明の課題である。
【課題を解決するための手段】
【０００５】
この課題は、請求項１に記載の各特徴を備えた、電気プラグ接続用の、一列または多列に配置される複数の接続部材を有する突出端子式プラグコネクタ（圧接端子式角型多極電気プラグコネクタ Schneidklemm-Steckkontaktleiste）により解決される。
【０００６】
すなわち本発明は、電気プラグ接続用の突出端子式プラグコネクタであって、
一方の端部に導電体を線剥き無しで接続するための突出端子領域が、他方の端部に対向するプラグコネクタと対応する差込式接触領域が形成された複数の組合せ型接続部材を有しており、前記突出端子領域にスロットを設けた平坦な突出端子が担持されており、互いに隣接してはめ込まれた前記各接続部材（２ｇ）の各差込式接点（２ｈ）の１つの列に対して、これらの接続部材（２ｇ）の前記各突出端子（２ｆ）が前記突出端子式プラグコネクタ（２）内で多列に配置されるように、前記各接続部材（２ｇ）が構成されており、前記各接続部材（２ｇ）の前記各差込式接点（２ｈ）が前記突出端子式プラグコネクタ（２）内で互いに隣接して一列に配置され、また前記各接続部材（２ｇ）の前記各突出端子（２ｆ）が二列に配置される、突出端子式プラグコネクタにおいて、前記各接続部材（２ｇ）の前記各突出端子（２ｆ）が、前記突出端子式プラグコネクタ（２）内で交互に二列に配置されると共に、前記各接続部材（２ｇ）が、１つの同じ接続部材列内において、それぞれの差込式接点（２ｈ）に関して、屈曲部を交互に逆向きにしてはめ込まれることを特徴とする、突出端子式プラグコネクタである。また各従属項には、本発明の有利な展開構成例が記載される。
【０００７】
また、本発明の本質的な要点の一つとしては、突出端子式プラグコネクタのハウジング上側部材とハウジング下側部材の形態が挙げられ、部材の配置と配列、接続部材の凹部の配置などが挙げられ、これにより、製造が容易になる等の利点がある。詳細は以下に記す。
【発明を実施するための最良の形態】
【０００８】
次に図に基づいて本発明の好適な実施例を説明する。全ての図において、同一構成部品には同一符号が付されている。
【０００９】
図１から５に示される一列型の突出コネクタは、対向するプラグコネクタ１と、導電体が差し込まれる突出端子式プラグコネクタ２とにより構成され、図示の実施例においては、接続対象である４つの導電体が、突出端子式プラグコネクタ２のそれぞれの挿入穴２ａに通してその内部に差し込まれるようになっている。図１において、対向するプラグコネクタ１は絶縁材料製の１つのトラフ型ハウジング１ａを有しており、その内部には、この図では見ることができない一列に並んだ、互いに平行に差込式接続部に向かって延びるレセレプタクル接点が取り付けられている。図示の実施例においては、４つのレセプタクル差込式接点が一列に配置される。トラフ型ハウジング１ａは、差込式接続部とは反対側に、それぞれのレセプタクル差込式接点と一体式に成形されたターミナルラグ１ｃ用のスルーホール１ｂを有している。対向するプラグコネクタ１は、突出端子式プラグコネクタ２のハウジング下側部材２ｃの１つのロック２ｂと協働する１つのロック用スリット１ｄにより、差込状態においては余剰長さを生じることなく突出端子式プラグコネクタ２とロックし合うようになっている。ロック１ｄおよび２ｂによるこのロック部により、一方では差込接続部に振動が入力される場合、他方では差込接続部に、突出型レセプタクルコネクタ１を突出端子式プラグコネクタ２から取り外す際の予め設定される引張力を下回るものの、差込接続品質に不利な影響を与える怖れがある引張力が作用する場合に、差込接続部に緩みを来たすのを防止している。ロック１ｂおよび２ｂの接続は、プラグ接続の振動時にその接続が外れるのを防止する働きをする。対向するプラグコネクタ１から突出端子式プラグコネクタ２の接続は所定の閾値で外れるが、振動で外れることはプラグ接続の品質にマイナスに働く。
【００１０】
トラフ型ハウジング１ａは他にも、その両側面に、コネクタをベースに取り付けるための、ばね弾性を有する取付け用クリップ３を担持している。これらの取付け用クリップ３は、それぞれのロック用スリット３ａにより、トラフ型ハウジング１ａの対応するロック用輪郭部１ｅにスナップイン式にはまり込むようになっている。
【００１１】
図２には、多極レセプタクルコネクタ１の内部が示されている。そこから歴然であるように、突出型レセプタクルコネクタ１のトラフ型絶縁ハウジング１ａの内部には、図示の実施例においてはコンタクトブレードとして構成された４つのレセプタクル差込式接点１ｆが一列にはめ込まれている。トラフ型ハウジング１ａには他にも、小さな脚部１ｇが裏側に取り付けられている。他にも図２には、両側の取付けクリップ３が、それぞれのロック用スリット３ａにより、トラフ型ハウジング１ａの両側面のロック用輪郭部１ｅとスナップイン式にはまり込んでいる様子が再度示されている。
【００１２】
図３には、閉じた状態にある突出端子式プラグコネクタ２が示されている。これは、互いにはめ合わせることきができる２つのハウジング部材２ｃ、２ｄ、即ち、線剥きを不要として電気接続される導電体が差し込まれる複数の挿入穴２ａとロック２ｂとが備えられたハウジング下側部材２ｄ、および、それぞれの差込室２ｅの内部に入り込む差込式接点を有している、この図では見ることができない複数の接続部材が差し込まれたハウジング上側部材２ｄにより構成される。図３においてロック２ｂが明示されているが、これは対向するプラグコネクタ１のロック用スリット１ｄとロックし合うものである。また、突出端子式プラグコネクタ２はロック２ｂを有し、ロック２ｂは、突出端子式プラグコネクタ２と対向するプラグコネクタ１をロックする為のものであり、ハウジング下側部材２ｃのボディの幅広な両側面に配設され、かつロック２ｂは突出端子式プラグコネクタ２の幅広側の表面を超えて突出していない。さらに、突出端子式プラグコネクタ２のコネクタアッセンブリが完遂できる。また、突出端子式プラグコネクタ２のハウジング下側部材２ｃロック２ｂの位置に対応してハウジング上側部材２ｄに凹部が備えられ、凹部とロック２ｂとの互いに対向する面間に自由空間が形成され、それによってロック２ｂは横方向に移動することができる。
【００１３】
図４には、ハウジング上側部材２ｄが引き出された状態にある突出端子式プラグコネクタ２の図３とは反対側が示されている。ハウジング上側部材２ｄが引き出されている時には、ハウジング下側部材２ｃの各挿入穴２ａが各接続部材の突出端子２ｆから自由になり、導電体を差し込むことができる。この図から明らかであるように、各接続部材の突出端子２ｆが交互に二列に配置される一方で、各接続部材の差込式接点用の差込室２ｅは、差込式接点自体と共に、必要な絶縁間隔をおいて一列に配置されている。これは、突出端子２ｆを差込式接点よりも幅広に構成することにより実現される。それぞれの突出端子２ｆ間の必要な絶縁間隔は、各突出端子２ｆが交互に二列に配置されることにより達成される。全体としてこのような構成方式により、各突出端子が一列だけに配置され、またそのために幅を取っているような従来技術のコネクタに対し、突出端子式プラグコネクタ２、ひいてはコネクタアッセンブリ１、２全体が比較的狭い幅で構成されるようになる。本発明により、差込式接点の拡幅は不要となる。各突出端子２ｆが上述のように二列に配置されるにもかかわらず、平型の突出端子２ｆの奥行きは、互いに位置をずらしながら二列に配置された状態においても、差込式接点の奥行きを上回らないために、全体として突出端子式プラグコネクタ２およびコネクタアッセンブリ１、２全体の奥行きは増大しない。
【００１４】
本発明の基本思想は、改めて図５により明らかにされる。この図においては、ハウジング上側部材２ｄとハウジング下側部材２ｃが互いから切り離されている。ハウジング上側部材２ｄには、４つの接続部材２ｇがはめ合わされるようになっているが、この図にはその内３つの突出端子２ｆだけがハウジング上側部材２ｄから突出した状態で示されている。説明のために、１つの接続部材２ｇが取り外された状態で示されている。図示の実施例においては対向するプラグコネクタ１の各コンタクトブレード１ｆと対応する接点ばねとして構成されている、各接続部材２ｇの差込式接点用２ｈの、ハウジング上側部材２ｄの各差込室２ｅは一列に配置され、各突出端子２ｆ用の挿入穴２ｉは交互に二列に配置されている。その際にこれらの挿入穴２ｉは、ハウジング下側部材２ｃの表面上で見た全長が、ハウジング上側部材２ｄの長手方向に見た各差込室２ｅの全長と等しくなるように、それぞれ側方の間隔を詰めて配置されるようになっている。取り外されている接続部材２ｇは、その略中央の、対向するプラグコネクタ１の奥行きのところに、突出端子２ｆが、観察者から見て図の手前側の列にあるその挿入穴２ｉ（左側の挿入穴）を見出せるようにするための１つの屈曲部２ｋを有している。この手前側の列（右側の挿入穴）に対応する更にもう１つの接続部材２ｇも、同様に曲げ加工されているが、いずれにせよその屈曲部は、この図ではハウジング上側部材２ｄにより覆われている。
【００１５】
これ以外の２つの接続部材２ｇは、観察者から見て図の奥側の列に挿入穴２ｉを見出せるように構成される。従ってこれらの接続部材２ｇは通常、他方の両接続部材２ｇとは逆向きに曲げ加工されるようになっている。本発明の非常に好適な実施形態の一例においては、全ての接続部材２ｇが同一方向に曲げ加工され、その後で交互にそれぞれの縦軸回りに１８０°回転されて各差込室２ｅに差し込まれて、そこで確実にロックされるようになっている。これにより、それぞれの接続部材２ｇを製造するために必要となる打抜き・曲げツールが１つだけとなり、しかもそれにもかかわらず、ハウジング上側部材２ｄとハウジング下側部材２ｃとをはめ合わせる際には、各突出端子２ｅがそれぞれ対応する挿入穴２ｉを見出せるようになる。他にも屈曲部を両方向に向けてはめ込まれるこれらの接続部材２ｇにより、二列に並んだ各挿入穴２ｉが、一列に並んだ差込室２ｅの中心線に対して釣り合い良く位置できるようになり、それにより、突出端子式プラグコネクタ２の最小限必要な奥行きに関して、長所がもたらされるようになる。
【００１６】
しかしながら各接続部材２ｇは、本発明の主意に沿って、これとは別の形状に成形されてもかまわない。例えば、曲げ加工の対象の接続部材２ｇを１つおきに限定し、これらをハウジング下側部材２ｃの各挿入穴２ｉの列間距離と等しい量だけ曲げ加工することも可能である。その他の接続部材２ｇは、曲げ加工されずにそのまま差し込まれる。屈曲部２ｋが接続部材２ｇの長手方向で見てどの位置に備えられるかは、設計上の細部により実質的に決まる。図示の実施例において、屈曲部２ｋは突出端子領域と差込式接触領域との間の略中央に位置している。
【００１７】
各接続部材２ｇは、図示の実施例においては差込式接点２ｈ側に接点ばねを有している。更に別の構成例において、各接続部材２ｇはその代わりにコンタクトブレードまたはコンタクトピンを担持している。その場合は対向するプラグコネクタ１に接点ばねが備えられる。
【００１８】
図示の実施例では、４極コネクタ１、２が示されている。当然ながら極数は４つに限定されず、それどころか任意の極数を実現することができる。
【００１９】
他にも本発明は、一列型コネクタ１、２に限定されない。例えば他にも二列型の対向するプラグコネクタに対応した二列型コネクタを構成することが可能であり、その場合は各突出端子２ｆが合計四列の挿入穴２ｉにはまり込み、それぞれの接続線が、両側もしくは片側から飛び石状に取り廻されるようにするとよい。
【００２０】
プラスチック被覆が施された導電体を、線剥きを不要として挟み付けるために、これらの導電体はそれぞれの挿入穴２ａの中に差し込まれる。引き続いて、各接続部材２ｇを確実にはめ合わせたハウジング上側部材２ｄとハウジング下側部材２ｃとが互いにはめ合わされるが、この時に各突出端子２ｆは、絶縁体を導電体のところまで切り込むようになっている。それぞれの接点の位置が互いに僅かだけずれているために、圧接端子式接続部の機械強度は更に増大する。ハウジング上側部材２ｄとハウジング下側部材２ｃとを確実に接続するために、ロック用輪郭部２ｌ、２ｍが備えられている。
【００２１】
以上の説明で言及した各特徴ならびに図だけから読み取れる各特徴は全て、特段強調されなくとも、また請求項において言及されなくとも、本発明の更に別の構成要素となるものである。本発明は上述の実施例に限定されるものではなく、むしろ本発明の技術開示の枠内で幾重にも変容することができる。
【図面の簡単な説明】
【００２２】
【図１】一列型コネクタアッセンブリの側面見取り図である。
【図２】図１のコネクタアッセンブリの対向するプラグコネクタの内部を示す図である。
【図３】図１のコネクタアッセンブリの突出端子式プラグコネクタの見取り図であり、ここでは対向するプラグコネクタが抜き取られている。
【図４】対向するプラグコネクタが抜き取られている、図３の突出端子式プラグコネクタの裏側を示した見取り図である。
【図５】図３の突出端子式プラグコネクタを各部に分解して示した見取り図である。
【符号の説明】
【００２３】
１  対向するプラグコネクタ
１ａ  対向するプラグコネクタの絶縁材料製トラフ型ハウジング
１ｂ  対向するプラグコネクタのスルーホール
１ｃ  ターミナルラグ
１ｄ  トラフ型ハウジングのロック用スリット
１ｅ  トラフ型ハウジングの両側面のロック用輪郭部
１ｆ  レセプタクル差込式接点（コンタクトブレード）
１ｇ  対向するプラグコネクタの脚部
２  突出端子式プラグコネクタ
２ａ  突出端子式プラグコネクタの挿入穴
２ｂ  ハウジング下側部材のロック
２ｃ  ハウジング下側部材
２ｄ  ハウジング上側部材
２ｅ  ハウジング上側部材の差込室
２ｆ  接続部材の突出端子
２ｇ  接続部材
２ｈ  差込式接点（接点ばね）
２ｉ  ハウジング下側部材の差込穴
２ｋ  接続部材の屈曲部
２ｌ  ハウジング上側部材のロック用輪郭部
２ｍ  ハウジング下側部材のロック用輪郭部
３  対向するプラグコネクタ用の取付けクリップ
３ａ  取付けクリップのロック用スリット
【図１】
2006140157.tif 000003
【図２】
2006140157.tif 000004
【図３】
2006140157.tif 000005
【図４】
2006140157.tif 000006
【図５】
2006140157.tif 000007